(57)【要約】      （修正有）【課題】無線通信システムにおいてＰＵＳＣＨのパスロスを推定するための方法および装置を提供する。【解決手段】ＵＥは、第１のサービングセルと第２のサービングセルとの第１の設定を受信し、第２のサービングセルは、第１のサービングセルのためのパスロスリファレンスである。ＵＥは、第２のサービングセルの複数の下りリンク帯域幅部分の第２の設定を受信し、複数の下りリンク帯域幅部分のうちの１つの下りリンク帯域幅部分はアクティブ下りリンク帯域幅部分である。ＵＥは、下りリンク帯域幅部分における参照信号に基づいて、第１のサービングセルの上りリンク帯域幅部分における上りリンク伝送のためのパスロスを推定（または導出）する。【選択図】図１１
2020028126.tif 000002
【特許請求の範囲】
【請求項１】
ユーザ機器（ＵＥ）の方法であって、
第１のサービングセルと第２のサービングセルの第１の設定を受信することであって、前記第２のサービングセルは、前記第１のサービングセルのためのパスロスリファレンスである、受信することと、
前記第２のサービングセルの複数の下りリンク帯域幅部分の第２の設定を受信することであって、該複数の下りリンク帯域幅部分のうちの１つの下りリンク帯域幅部分はアクティブ下りリンク帯域幅部分である、受信することと、
前記下りリンク帯域幅部分における参照信号に基づいて、前記第１のサービングセルの上りリンク帯域幅部分における上りリンク伝送のためのパスロスを推定または導出すること、を含む方法。
【請求項２】
前記下りリンク帯域幅部分は、前記上りリンク帯域幅部分にリンクされない、請求項１に記載の方法。
【請求項３】
前記下りリンク帯域幅部分と前記上りリンク帯域幅部分とは異なる帯域幅部分インデックスを有する、請求項１に記載の方法。
【請求項４】
前記帯域幅部分のインデックスは、bwp-Idの設定によって提供される前記帯域幅部分のための識別子である、請求項１に記載の方法。
【請求項５】
前記下りリンク帯域幅部分と前記上りリンク帯域幅部分とは異なる中心周波数を有する、請求項１に記載の方法。
【請求項６】
前記第１のサービングセル上に設定される前記上りリンク帯域幅部分の数は、前記第２のサービングセルの前記複数の下りリンク帯域幅部分の数と異なる、請求項１に記載の方法。
【請求項７】
前記パスロスリファレンスは、パラメータpathlossReferenceLinkingによって示される、請求項１に記載の方法。
【請求項８】
ユーザ機器（ＵＥ）の方法であって、
サービングセルにおいて対スペクトルで動作することであって、該サービングセルの複数の下りリンク帯域幅部分が設定され、該複数の下りリンク帯域幅部分のうちの１つの下りリンク帯域幅部分は、アクティブ下りリンク帯域幅部分である、動作することと、
前記下りリンク帯域幅部分における参照信号に基づいて、前記サービングセルの上りリンク帯域幅部分における上りリンク伝送のためのパスロスを推定または導出することと、を含む方法。
【請求項９】
前記下りリンク帯域幅部分は、前記上りリンク帯域幅部分にリンクされない、請求項８に記載の方法。
【請求項１０】
前記下りリンク帯域幅部分と前記上りリンク帯域幅部分とは異なる帯域幅部分インデックスを有する、請求項８に記載の方法。
【請求項１１】
前記帯域幅部分のインデックスは、bwp-Idの設定によって提供される前記帯域幅部分のための識別子である、請求項８に記載の方法。
【請求項１２】
前記下りリンク帯域幅部分と前記上りリンク帯域幅部分とは異なる中心周波数を有する、請求項８に記載の方法。
【請求項１３】
前記サービングセル上に設定される前記上りリンク帯域幅部分の数は、前記サービングセルの前記下りリンク帯域幅部分の数と異なる、請求項８に記載の方法。
【請求項１４】
ユーザ機器（ＵＥ）であって、
制御回路と、
前記制御回路に設けられたプロセッサと、
前記制御回路に設けられ、前記プロセッサに結合されたメモリと、を含み、
前記プロセッサは、前記メモリに記憶されたプログラムコードを実行して、
第１のサービングセルと第２のサービングセルの第１の設定を受信することであって、前記第２のサービングセルは、前記第１のサービングセルのためのパスロスリファレンスである、受信することと、
前記第２のサービングセルの複数の下りリンク帯域幅部分の第２の設定を受信することであって、前記複数の下りリンク帯域幅部分のうちの１つの下りリンク帯域幅部分は、アクティブ下りリンク帯域幅部分である、受信することと、
前記下りリンク帯域幅部分における参照信号に基づいて、前記第１のサービングセルの上りリンク帯域幅部分における上りリンク伝送のためのパスロスを推定または導出すること、を行う、ＵＥ。
【請求項１５】
前記下りリンク帯域幅部分は、前記上りリンク帯域幅部分にリンクされない、請求項１４に記載のＵＥ。
【請求項１６】
前記下りリンク帯域幅部分と前記上りリンク帯域幅部分とは異なる帯域幅部分インデックスを有する、請求項１４に記載のＵＥ。
【請求項１７】
前記帯域幅部分のインデックスは、bwp-Idの設定によって提供される前記帯域幅部分のための識別子である、請求項１４に記載のＵＥ。
【請求項１８】
前記下りリンク帯域幅部分と前記上りリンク帯域幅部分とは異なる中心周波数を有する、請求項１４に記載のＵＥ。
【請求項１９】
前記第１のサービングセル上に設定される前記上りリンク帯域幅部分の数は、前記第２のサービングセルの前記複数の下りリンク帯域幅部分の数と異なる、請求項１４に記載のＵＥ。
【請求項２０】
前記パスロスリファレンスは、パラメータpathlossReferenceLinkingによって示される、請求項１４に記載のＵＥ。
【発明の詳細な説明】
【技術分野】
【０００１】
本願は、２０１８年８月１０日に出願された米国仮特許出願第６２／７１７，３５６号の利益を主張するものであり、そのすべての開示は全体として参照により本明細書に援用される。
【０００２】
この開示は、概して、無線通信ネットワークに関連し、より詳細には、無線通信システムにおいてＰＵＳＣＨのパスロスを推定するための方法および装置に関連する。
に関連する。
【背景技術】
【０００３】
移動体通信デバイスとの大量データの通信に対する要求が急速に高まる中、従来の移動体音声通信ネットワークは、インターネットプロトコル（ＩＰ）データパケットをやり取りするネットワークへと発展している。そのようなＩＰデータパケット通信は、移動体通信デバイスのユーザに、ボイスオーバＩＰ、マルチメディア、マルチキャスト、およびオンデマンド通信サービスを提供可能である。
【０００４】
例示的なネットワーク構造は、発展型ユニバーサル地上無線アクセスネットワーク（Ｅ−ＵＴＲＡＮ）である。Ｅ−ＵＴＲＡＮシステムは、上記のボイスオーバＩＰおよびマルチメディアサービスを実現するために、高いデータスループットを提供可能である。現在、次世代（例えば、５Ｇ）の新しい無線技術が３ＧＰＰ標準化機構によって論じられている。このため、現行の３ＧＰＰ標準内容に対する変更が現在提出され、３ＧＰＰ標準の発展および確定に向けて検討されている。
【発明の概要】
【０００５】
無線通信システムにおいてＰＵＳＣＨのパスロスを推定するための方法および装置を本明細書において開示する。１つの方法では、ＵＥは、第１のサービングセルと第２のサービングセルとの第１の設定を受信し、第２のサービングセルは、第１のサービングセルのためのパスロスリファレンスである。ＵＥは、第２のサービングセルの複数の下りリンク帯域幅部分の第２の設定を受信し、複数の下りリンク帯域幅部分のうちの１つの下りリンク帯域幅部分はアクティブ下りリンク帯域幅部分である。ＵＥは、下りリンク帯域幅部分における参照信号に基づいて、第１のサービングセルの上りリンク帯域幅部分における上りリンク伝送のためのパスロスを推定（または導出）する。
【図面の簡単な説明】
【０００６】
【図１】１つの例示的な実施形態による無線通信システムの図を示す。
【図２】１つの例示的な実施形態による送信機システム（アクセスネットワークとしても知られている）および受信機システム（ユーザ機器またはＵＥとしても知られている）のブロック図である。
【図３】１つの例示的な実施形態による通信デバイスの機能ブロック図である。
【図４】１つの例示的な実施形態による図３のプログラムコードの機能ブロック図である。
【図５】３ＧＰＰ  ＴＳ  ３８．２１１  Ｖ１５．２．０（２０１８−６）から引用した表７．４．１．５．３−１の複製である。
【図６】３ＧＰＰ  ＴＳ  ３８．２１１  Ｖ１５．２．０（２０１８−６）から引用した表７．４．１．５．３−２の複製である。
【図７】３ＧＰＰ  ＴＳ  ３８．２１１  Ｖ１５．２．０（２０１８−６）から引用した表７．４．１．５．３−３の複製である。
【図８】３ＧＰＰ  ＴＳ  ３８．２１１  Ｖ１５．２．０（２０１８−６）から引用した表７．４．１．５．３−４の複製である。
【図９】３ＧＰＰ  ＴＳ  ３８．２１１  Ｖ１５．２．０（２０１８−６）から引用した表７．４．１．５．３−５の複製である。
【図１０】３ＧＰＰ  ＴＳ  ３８．２１１  Ｖ１５．２．０（２０１８−６）から引用した表７．４．３．１−１の複製である。
【図１１】ユーザ機器（ＵＥ）の観点による１つの例示的な実施形態のためのフロー図である。
【図１２】ネットワークの観点による１つの例示的な実施形態のためのフロー図である。
【発明を実施するための形態】
【０００７】
以下に説明する例示的な無線通信システムおよびデバイスは、無線通信システムを採用し、ブロードキャストサービスをサポートする。無線通信システムは、音声、データ等の様々なタイプの通信を提供するように広く展開されている。これらのシステムは、符号分割多元接続（ＣＤＭＡ）、時間分割多元接続（ＴＤＭＡ）、直交周波数分割多元接続（ＯＦＤＭＡ）、３ＧＰＰ  ＬＴＥ（ロングタームエボリューション）無線アクセス、３ＧＰＰ  ＬＴＥ−ＡもしくはＬＴＥ−アドバンスト（ロングタームエボリューションアドバンスト）、３ＧＰＰ２  ＵＭＢ（Ultra  Mobile  Broadband：超モバイル広帯域）、ＷｉＭａｘ、５Ｇのための３ＧＰＰ  ＮＲ（New  Radio）無線アクセス、またはその他何らかの変調技術に基づいてよい。
【０００８】
特に、以下に説明する例示的な無線通信システムおよびデバイスは、本明細書において３ＧＰＰと呼ばれる「第３世代パートナーシッププロジェクト」という名称のコンソーシアムにより提示される標準などの１つ以上の標準をサポートするように設計されてよく、その標準は、TS  38.213  V15.2.0  (2018-6),  “NR;  Physical  layer  procedures  for  control  (Release  15)”;  TS  38.331  V15.2.1  (2018-6),  “NR;  Radio  Resource  Control  (RRC)  protocol  specification  (Release  15)”;  TS  38.211  V15.2.0  (2018-6),  “NR;  Physical  channels  and  modulation”;  およびTS  38.321  V15.2.0  (2018-6),  “NR;  Medium  Access  Control  (MAC)  protocol  specification  (Release  15)”を含む。上記に挙げた標準および文書は、全体として参照により本明細書に明示的に援用される。
【０００９】
図１は、本発明の一実施形態に係る多重アクセス無線通信システムを示している。アクセスネットワーク１００（ＡＮ）は、複数のアンテナグループを含み、あるグループは１０４および１０６、別のグループは１０８および１１０、また別のグループは１１２および１１４を含む。図１においては、各アンテナグループに対して、アンテナが２つしか示されていないが、より多くのあるいはより少ないアンテナが各アンテナグループに利用されてよい。アクセス端末１１６（ＡＴ）は、アンテナ１１２および１１４と通信しており、アンテナ１１２および１１４は、順方向リンク１２０を介して情報をアクセス端末１１６に送信すると共に、逆方向リンク１１８を介して情報をアクセス端末１１６から受信している。アクセス端末（ＡＴ）１２２は、アンテナ１０６および１０８と通信しており、アンテナ１０６および１０８は、順方向リンク１２６を介して情報をアクセス端末（ＡＴ）１２２に送信すると共に、逆方向リンク１２４を介して情報をアクセス端末（ＡＴ）１２２から受信している。ＦＤＤシステムにおいては、通信リンク１１８、１２０、１２４、および１２６は通信に異なる周波数を使用してよい。例えば、順方向リンク１２０では、逆方向リンク１１８によって使用される周波数とは異なる周波数を使用してよい。
【００１０】
アンテナの各グループおよび／またはアンテナが通信するように設計されたエリアは、アクセスネットワークのセクターと称することが多い。本実施形態において、アンテナグループはそれぞれ、アクセスネットワーク１００によってカバーされるエリアのセクターにおいて、アクセス端末と通信するように設計されている。
【００１１】
順方向リンク１２０および１２６を介した通信において、アクセスネットワーク１００の送信アンテナは、異なるアクセス端末１１６および１２２に対する順方向リンクの信号対雑音比を改善するために、ビームフォーミングを利用してよい。また、カバレッジにランダムに分散したアクセス端末への送信にビームフォーミングを使用するアクセスネットワークは、１つのアンテナからすべてのそのアクセス端末に送信を行うアクセスネットワークよりも、隣接セルのアクセス端末への干渉が少ない。
【００１２】
アクセスネットワーク（ＡＮ）は、端末と通信するのに使用される固定局または基地局でよく、アクセスポイント、ノードＢ、基地局、拡張型基地局、進化型ノードＢ（ｅＮＢ）、ネットワークノード、ネットワークまたはその他何らかの専門用語で呼ばれることもある。アクセス端末（ＡＴ）は、ユーザ機器（ＵＥ）、無線通信デバイス、端末、アクセス端末、またはその他何らかの専門用語で呼ばれることもある。
【００１３】
図２は、ＭＩＭＯシステム２００における送信機システム２１０（アクセスネットワークとしても知られている）および受信機システム２５０（アクセス端末（ＡＴ）またはユーザ機器（ＵＥ）としても知られている）の実施形態の簡易ブロック図である。送信機システム２１０では、多くのデータストリームのトラフィックデータがデータ源２１２から送信（ＴＸ）データプロセッサ２１４に提供される。
【００１４】
一実施形態において、各データストリームは、それぞれの送信アンテナを介して送信される。ＴＸデータプロセッサ２１４は、データストリームに対して選択された特定の符号化方式に基づいて、各データストリームについてのトラフィックデータをフォーマット、符号化、およびインターリーブして、符号化データを提供する。
【００１５】
各データストリームについての符号化データを、ＯＦＤＭ技術を使用してパイロットデータと多重化してよい。パイロットデータは、代表的には、既知の様態で処理される既知のデータパターンであり、受信機システムでチャネル応答を推定するのに使用されてよい。そして、各データストリームについての多重化パイロットおよび符号化データは、データストリームに対して選択された特定の変調方式（例えば、ＢＰＳＫ、ＱＰＳＫ、Ｍ−ＰＳＫ、またはＭ−ＱＡＭ）に基づいて変調（すなわち、シンボルマッピング）されて、変調シンボルを提供する。各データストリームについてのデータレート、符号化、および変調は、プロセッサ２３０により実行される命令によって決定されてよい。
【００１６】
そして、すべてのデータストリームについての変調シンボルはＴＸ  ＭＩＭＯプロセッサ２２０に与えられ、これが（例えば、ＯＦＤＭの場合に）変調シンボルをさらに処理してよい。そして、ＴＸ  ＭＩＭＯプロセッサ２２０は、ＮＴ個の変調シンボルストリームをＮＴ個の送信機（ＴＭＴＲ）２２２ａ〜２２２ｔに提供する。特定の実施形態において、ＴＸ  ＭＩＭＯプロセッサ２２０は、ビームフォーミング加重をデータストリームのシンボルおよびシンボルが送信されているアンテナに適用する。
【００１７】
各送信機２２２は、各シンボルストリームを受信および処理して１つ以上のアナログ信号を提供し、さらに、アナログ信号を調節（例えば、増幅、フィルタリング、およびアップコンバート）して、ＭＩＭＯチャネルを介した送信に適した変調信号を提供する。そして、送信機２２２ａ〜２２２ｔからのＮＴ個の変調信号がそれぞれ、ＮＴ個のアンテナ２２４ａ〜２２４ｔから送信される。
【００１８】
受信機システム２５０においては、送信された変調信号はＮＲ個のアンテナ２５２ａ〜２５２ｒによって受信され、各アンテナ２５２からの受信信号は、各受信機（ＲＣＶＲ）２５４ａ〜２５４ｒに提供される。各受信機２５４は、それぞれの受信信号を調節（例えば、フィルタリング、増幅、およびダウンコンバート）して、調節された信号をディジタル化してサンプルを与え、さらに、これらのサンプルを処理して対応する「受信」シンボルストリームを提供する。
【００１９】
そして、ＲＸデータプロセッサ２６０は、特定の受信機処理技術に基づいて、ＮＲ個の受信機２５４からのＮＲ個の受信シンボルストリームを受信および処理して、ＮＴ個の「検出」シンボルストリームを提供する。そして、ＲＸデータプロセッサ２６０は、各検出シンボルストリームを復調、デインターリーブ、および復号して、データストリームについてのトラフィックデータを復元する。ＲＸデータプロセッサ２６０による処理は、送信機システム２１０でのＴＸ  ＭＩＭＯプロセッサ２２０およびＴＸデータプロセッサ２１４により実行される処理と相補的である。
【００２０】
プロセッサ２７０は、どのプリコーディングマトリクス（後述）使用するかを定期的に決定する。プロセッサ２７０は、マトリクス指標部およびランク値部を含む逆方向リンクメッセージを構築する。
【００２１】
逆方向リンクメッセージは、通信リンクおよび／または受信データストリームに関する様々なタイプの情報を含んでよい。そして、逆方向リンクメッセージは、データ源２３６からの多くのデータストリームについてのトラフィックデータも受信するＴＸデータプロセッサ２３８により処理され、変調器２８０により変調され、送信機２５４ａ〜２５４ｒにより調節され、送信機システム２１０に送り戻される。
【００２２】
送信機システム２１０では、受信機システム２５０からの変調信号がアンテナ２２４により受信され、受信機２２２により調節され、復調器２４０により復調され、ＲＸデータプロセッサ２４２により処理されて、受信機システム２５０により送信された逆方向リンクメッセージを抽出する。そして、プロセッサ２３０は、ビームフォーミング加重を決定するのにどのプリコーディングマトリクスを使用するかを決定し、そして、抽出されたメッセージを処理する。
【００２３】
図３を参照すると、この図は、本発明の一実施形態による通信デバイスの代替的な簡易機能ブロック図を示している。図３に示されるように、無線通信システムにおける通信デバイスは、図１のＵＥ（若しくはＡＴ）１１６および１２２または図１の基地局（若しくはＡＮ）１００を実現するのに利用可能であり、無線通信システムは、好ましくはＬＴＥシステムまたはＮＲシステムである。通信デバイスは、入力デバイス３０２、出力デバイス３０４、制御回路３０６、中央演算処理装置（ＣＰＵ）３０８、メモリ３１０、プログラムコード３１２、およびトランシーバ３１４を含んでよい。制御回路３０６は、ＣＰＵ３０８を介してメモリ３１０内のプログラムコード３１２を実行することにより、通信デバイスの動作を制御する。通信デバイス３００は、キーボード、キーパッド等の入力デバイス３０２を介してユーザにより入力された信号を受信することができ、モニタ、スピーカ等の出力デバイス３０４を介して画像および音声を出力することができる。トランシーバ３１４は、無線信号を受信および送信するのに使用され、受信信号を制御回路３０６に伝達すると共に、制御回路３０６により生成された信号を無線で出力する。無線通信システムにおける通信デバイス３００は、図１のＡＮ１００を実現するのにも利用可能である。
【００２４】
図４は、本発明の一実施形態による図３に示すプログラムコード３１２の簡易ブロック図である。本実施形態において、プログラムコード３１２は、アプリケーションレイヤ４００、レイヤ３部４０２、およびレイヤ２部４０４を含み、レイヤ１部４０６に結合されている。レイヤ３部４０２は一般的に、無線リソース制御を実行する。レイヤ２部４０４は一般的に、リンク制御を実行する。レイヤ１部４０６は一般的に、物理的接続を実行する。
【００２５】
３ＧＰＰ  ＴＳ  ３８．２１３  Ｖ１５．２．０（２０１８−６）では、ＴＳ  ３８．２１３における物理上りリンク共有チャネル（ＰＵＳＣＨ）の電力制御に関連するいくつかの説明と帯域幅部分（ＢＷＰ）の説明を以下に引用する：
［外１］
2020028126.tif 000003
2020028126.tif 000004
2020028126.tif 000005
2020028126.tif 000006
2020028126.tif 000007
2020028126.tif 000008
2020028126.tif 000009
2020028126.tif 000010
2020028126.tif 000011
【００２６】
３ＧＰＰ  ＴＳ  ３８．３３１  Ｖ１５．２．１（２０１８−６）では、ＴＳ  ３８．３３１におけるＰＵＳＣＨパスロスおよびＢＷＰに関連する情報要素（ＩＥ）を以下に引用する：
［外２］
2020028126.tif 000012
2020028126.tif 000013
2020028126.tif 000014
2020028126.tif 000015
2020028126.tif 000016
2020028126.tif 000017
2020028126.tif 000018
2020028126.tif 000019
2020028126.tif 000020
【００２７】
３ＧＰＰ  ＴＳ  ３８．２１１  Ｖ１５．２．０（２０１８−６）では、ＴＳ  ３８．２１１における下りリンク参照信号（downlink  reference  signals）の説明を以下に引用する：
［外３］
2020028126.tif 000021
2020028126.tif 000022
2020028126.tif 000023
図５（３ＧＰＰ  ＴＳ  ３８．２１１  Ｖ１５．２．０（２０１８−６）から引用した表７．４．１．５．３−１の複製）
図６（３ＧＰＰ  ＴＳ  ３８．２１１  Ｖ１５．２．０（２０１８−６）から引用した表７．４．１．５．３−２の複製）
図７（３ＧＰＰ  ＴＳ  ３８．２１１  Ｖ１５．２．０（２０１８−６）から引用した表７．４．１．５．３−３の複製）
図８（３ＧＰＰ  ＴＳ  ３８．２１１  Ｖ１５．２．０（２０１８−６）から引用した表７．４．１．５．３−４の複製）
図９（３ＧＰＰ  ＴＳ  ３８．２１１  Ｖ１５．２．０（２０１８−６）から引用した表７．４．１．５．３−５の複製）
［外４］
2020028126.tif 000024
2020028126.tif 000025
2020028126.tif 000026
図１０（３ＧＰＰ  ＴＳ  ３８．２１１  Ｖ１５．２．０（２０１８−６）から引用した表７．４．３．１−１の複製）
［外５］
2020028126.tif 000027
【００２８】
［４］では、ＴＳ  ３８．３２１におけるＢＷＰに関する説明を以下に引用する：
［外６］
2020028126.tif 000028
2020028126.tif 000029
2020028126.tif 000030
【００２９】
Ｎｅｗ  Ｒａｄｉｏ  （ＮＲ）では、ＰＵＳＣＨ伝送のパスロス推定ＰＬｂ，ｆ，ｃ（ｑｄ）の構造は、ＵＥが下りリンク（ＤＬ）ＢＷＰにおける参照信号を使用することを説明し、そのＤＬ  ＢＷＰは、背景技術において言及されているようにこのＰＵＳＣＨ伝送を含む上りリンク（ＵＬ）ＢＷＰにリンクされる。上記に引用されるようにＢＷＰの説明では、ＤＬ  ＢＷＰとＵＬ  ＢＷＰの間のリンク関係は、不対スペクトルの場合にのみ存在し、ＤＬ  ＢＷＰは、そのような場合で同じセルにおける同じbwp-idを有するＵＬ  ＢＷＰにリンクされる。対スペクトルでのＤＬ  ＢＷＰとＵＬ  ＢＷＰの間のリンク関係は決定されていない。さらに、３ＧＰＰ  ＴＳ  ３８．２１３  Ｖ１５．２．０（２０１８−６）における参照サービングセルの説明では、ＵＥは、サービングセルでのＰＵＳＣＨ伝送のために使用されるパスロスを推定するために参照サービングセルによって設定されることがある。参照サービングセルは、ＰＵＳＣＨが送信されるサービングセルとは異なるプライマリセルまたはプライマリＳＣｅｌｌ（ＰＳＣｅｌｌ）のいずれかであってよい。ＰＳＣｅｌｌは、セカンダリセルグループ（ＳＣＧ）のプライマリセルとすることができる。参照サービングセルが設定される場合、ＵＥがパスロスを推定するために使用する参照信号は、ＰＵＳＣＨ伝送とは同じセルではないことがある。異なるセルにおけるＵＬ  ＢＷＰとＤＬ  ＢＷＰの間のリンク関係は、ＮＲではクリアにされていない。ＵＥは、パスロス推定を実行するために使用されるＤＬ  ＢＷＰが分からない、例えば、参照サービングセルでのどのＤＬ  ＢＷＰが、ＰＵＳＣＨが送信される異なるサービングセルでのＵＬ  ＢＷＰにリンクされているかわからない場合、ＰＵＳＣＨの電力制御のためのパスロスを導出することができない。また、ＵＥと基地局が、どのＤＬ  ＢＷＰが測定を行うのに使用されるのかについて同じ理解を持つことができない可能性がある。そのような場合、推定されたパスロスは、ＰＵＳＣＨに直面するパスロスを補償するには不正確であることがある。例えば、第１のＤＬ  ＢＷＰにおける第１の参照信号（ＲＳ）および第２のＤＬ  ＢＷＰにおける第２のＲＳは、異なる基地局ビームによって送信されることがある。また、ＵＥは、異なるＵＥビームを使用して、第１のＤＬ  ＢＷＰにおける第１のＲＳと、第２のＤＬ  ＢＷＰにおける第２のＲＳを受信／推定することがある。異なる基地局ビームおよび／または異なるＵＥビームは、異なるチャネル効果をもたらし、結果として、計算された伝送電力と実際の伝送に必要とされる電力との間に不整合をもたらす。
【００３０】
さらに、セカンダリセルのＰＵＳＣＨ電力制御参照セルがプライマリセルまたはＰＳＣｅｌｌに設定される場合、ＵＥは、パスロスを推定するために参照セルでの参照信号を使用しなければならない。ＰＵＳＣＨのパスロス推定のための参照信号は、セカンダリセルに設定されるPUSCH-PathlossReferenceRSのセットから、例えば、このセットが設定され、ＰＵＳＣＨがｍｓｇ３でない場合に選択され得る。PUSCH-PathlossReferenceRSのセットは、設定された各ＵＬ  ＢＷＰに対して設定され、例えば、設定された各ＵＬ  ＢＷＰは、異なるPUSCH-PathlossReferenceRS設定を有することができる。代替的には、セカンダリセルのためのPUSCH-PathlossReferenceRSのセットは、セカンダリセルのチャネル状態情報参照信号（ＣＳＩ−ＲＳ）または同期信号／物理ブロードキャストチャネル（ＳＳ／ＰＢＣＨ）ブロックを含んでもよく、これは、セカンダリセルでのＵＬ  ＢＷＰのPUSCH-PathlossReferenceRSのセットに対して、このセットがプライマリセルまたはＰＳＣｅｌｌのいかなるＲＳも含まないことを意味している。このセカンダリセルの物理上りリンク共有チャネル（ＰＵＳＣＨ）の電力制御参照サービングセルがプライマリセルまたはＰＳｃｅｌｌに設定される場合、ＵＥは、ＰＵＳＣＨ伝送のためのパスロスを推定するためにこのセット内のＲＳを使用することができない。
【００３１】
一実施形態では、ＵＥは、ＰＬｂ，ｆ，ｃ（ｑｄ）値を推定するために、参照サービングセルのアクティブＤＬ  ＢＷＰにおけるＲＳを使用するものとする。１つの選択肢では、ＵＥに各セカンダリセルの各ＵＬ  ＢＷＰに対して、参照信号インデックスのエクストラセットが設定されてよい。セカンダリセルでの参照信号のインデックスを含むセットＳ０と比較して、第２のセットＳ１は、ＰＵＳＣＨ電力制御における参照サービングセルの設定に基づいて、プライマリセルまたはＰＳｃｅｌｌでの参照信号のインデックスを含む。１つの選択肢では、セットＳ１のサイズは、値maxNrofPUSCH-PathlossReferenceRSを超えなくてよい。代替的には、次世代ノードＢ（ｇＮＢ）は、ＵＥに対してパラメータＮ１を設定することができ、セットＳ１のサイズは、値Ｎ１を超えないものとする。代替的には、Ｎ１の値は、プライマリセルまたはＰＳｃｅｌｌの設定されたＤＬ  ＢＷＰの数に関連してよい。代替的には、セットＳ１のサイズはセットＳ０のサイズと同じとしてよい。代替的には、セットＳ１は、プライマリセルまたはＰＳＣｅｌｌにおけるＣＳＩ−ＲＳリソースインデックスを含んでよい。代替的には、セットＳ１は、プライマリセルまたはＰＳｃｅｌｌにおけるＳＳ／ＰＢＣＨブロックインデックスを含んでよい。ＰＵＳＣＨがセカンダリセルで送信される場合、ＰＵＳＣＨ電力制御のための参照サービングセルがセカンダリセルに設定されているとき、セットＳ０が、パスロス推定のためのPUSCH-PathlossReferenceRSのセットとして使用される。ＰＵＳＣＨがセカンダリセルで送信される場合、プライマリセルまたはＰＳｃｅｌｌがＰＵＳＣＨ電力制御のための参照サービングセルであるとき、セットＳ１が、パスロス推定のためのPUSCH-PathlossReferenceRSのセットとして使用される。代替的には、sri-PUSCH-PowerControlIdとPUSCH-PathlossReferenceRS-Idの間のマッピング関係は、PUSCH-PathlossReferenceRSのセットがＳ０であるか、あるいはＳ１であるかに依存して異なることができる。代替的には、sri-PUSCH-PowerControlIdとセットＳ１内の要素の間のマッピング関係は、sri-PUSCH-PowerControlIdとセットＳ０内のＲＳインデックスの間のマッピング関係以外のＲＲＣパラメータを通して設定され得る。
【００３２】
別の実施形態では、セカンダリセルのＵＬ  ＢＷＰに対して、２つの参照のセットとして設定される。第１のセットＳ０は、セカンダリセルにおけるＣＳＩ−ＲＳまたはＳＳ／ＰＢＣＨブロックインデックスを含んでよいPUSCH-pathlossReferenceRSのセットである。別のセットＳ１には、プライマリセルまたはＰＳｃｅｌｌにおけるＣＳＩ−ＲＳまたはＳＳ／ＰＢＣＨブロックのインデックスを含む。これら２つのセットのサイズは同じであり、パラメータmaxNrofPUSCH-PathlossReferenceRSsによって制限される。セットＳ０とＳ１内の要素は、両方とも０からmaxNrofPUSCH-PathlossReferenceRSs-1までインデックス付けされる。これらの２つのセット内の要素とsri-PUSCH-PowerControlIdの間のマッピングは、ｇＮＢからのＲＲＣパラメータを通して定義される。ＰＵＳＣＨ電力制御のための参照サービングセルがセカンダリセルに設定される場合、セットＳ０が、パスロス推定のためのＲＳを決定するために使用される。代替的には、参照サービングセルがプライマリセルまたはＰＳｃｅｌｌに設定される場合、ＵＥは、値ＰＬｂ，ｆ，ｃ（ｑｄ）の推定のためにＳ１内の参照信号インデックスを使用する。パラメータSRI-PUSCH-PowerControlがＵＥに提供される場合、ＵＥは、sri-PUSCH-PowerControlIdの値とＳ１の要素の間のマッピング関係に追加的に設定される。ＰＵＳＣＨ伝送を示す下りリンク制御情報（ＤＣＩ）がサービスリクエストインジケータ（ＳＲＩ：Service  Request  Indicator）フィールドを含む場合、ＵＥは、ＳＲＩフィールドの値およびＳＲＩフィールドとセットＳ１の要素の間のマッピング関係を使用して、パスロスを推定するために使用されるＲＳ  ｑｄを決定する。代替的には、ＤＣＩがＳＲＩフィールドを含まず、ＰＵＣＣＨ伝送のための空間的設定が提供されない場合、ＵＥは、ゼロにインデックス付けされた要素を有するセットＳ１からＲＳ  ｑｄを決定する。
【００３３】
別の実施形態では、セカンダリセルに設定されるPUSCH-pathlossreferenceRSのセットは、ＰＵＳＣＨ電力制御の参照サービングセルの設定に基づいて、ＲＳがプライマリセルまたはＰＳｃｅｌｌで送信される少なくとも１つの参照信号インデックスを含むものとする。代替的には、参照信号は、プライマリセルまたはＰＳｃｅｌｌにおけるＣＳＩ−ＲＳとしてよい。代替的には、参照信号は、プライマリセルまたはＰＳｃｅｌｌにおけるＳＳ／ＰＢＣＨブロックとしてよい。ＵＥがセカンダリセルでＰＵＳＣＨを送信し、ＰＵＳＣＨパスロス参照サービングセルがプライマリセルまたはＰＳｃｅｌｌである場合、ＵＥは、パスロスを推定するために、ＰＵＳＣＨ-pathlossreferenceＲＳのセットからのプライマリセルまたはＰＳｃｅｌｌでの参照信号を使用するものとする。代替的には、ＤＣＩがＳＲＩフィールドを含まず、ＰＵＣＣＨ伝送のための空間的設定が提供されない場合、ＵＥは、プライマリセルまたはＰＳｃｅｌｌにおけるアクティブＤＬ  ＢＷＰ内の最も低いインデックスを有する要素を有するPUSCH-pathlossreferenceRSのセットからＲＳを決定する。代替的には、ＤＣＩがパスロスＲＳを示すＳＲＩフィールドを含む場合、ＵＥは、ＤＣＩ内のＳＲＩフィールドが、プライマリセルまたはＰＳｃｅｌｌのアクティブＤＬ  ＢＷＰで参照信号を示すことを期待する。代替的には、参照サービングセルがプライマリセルまたはＰＳｃｅｌｌであり、インデックスｑｄがセカンダリセルにおける参照信号にマッピングされる場合、ＵＥは、ＵＥが上位レイヤパラメータMasterInformationBlockから取得するＳＳ／ＰＢＣＨブロックインデックスからのＲＳリソースを使用して、パスロスを推定する。代替的には、参照サービングセルがプライマリセルまたはＰＳＣｅｌｌであり、インデックスｑｄがセカンダリセルにおける参照信号にマッピングされる場合、ＵＥは、PUSCH-pathlossreferenceRSのセット内の最も低いインデックスを有するプライマリセルまたはＰＳｃｅｌｌのアクティブＤＬ  ＢＷＰにおけるＲＳリソースを使用して、パスロスを推定する。
【００３４】
別の実施形態は、各ＵＬ  ＢＷＰのＰＵＳＣＨ電力制御のための参照サービングセルにおけるＤＬ  ＢＷＰを決定することに指向される。セルのＵＬ  ＢＷＰと可能な参照サービングセルのＤＬ  ＢＷＰの間のマッピング関係はパスロス推定のために決定される。ＵＥがセルのＵＬ  ＢＷＰでＰＵＳＣＨを送信する場合、このＵＬ  ＢＷＰへのマッピング関係を有する参照サービングセルにおけるＤＬ  ＢＷＰでのＲＳを通して、ＰＵＳＣＨ電力制御のパスロス推定が計算される。ＰＵＳＣＨ電力制御に対して、マッピング関係は、参照サービングセルの設定に基づいて、セカンダリセルのＵＬ  ＢＷＰと対応するＰＳＣｅｌｌのＤＬ  ＢＷＰについて示されるものとする。
【００３５】
別の実施形態は、ＰＵＳＣＨ電力制御のために参照サービングセルにおいてＤＬ  ＢＷＰを決定するためにＵＬ  ＢＷＰとのマッピング関係が使用されることに指向される。１つの選択肢では、マッピング関係は、ＲＲＣパラメータを介して示され得る。代替的には、ＵＥとｇＮＢの両方によって既知の所定の規則は、マッピング関係を決定するために使用され得る。一実施形態では、この所定の規則は、ＵＬ  ＢＷＰが、最も近いbwp-idを有するＤＬ  ＢＷＰにマッピングされることでよい。別の実施形態では、この所定の規則は、セルにおけるＵＬ  ＢＷＰのbwp-idであるＵｉｄ、セルにおけるＵＬ  ＢＷＰの数であるＮｕ、および参照サービングセルにおけるＤＬ  ＢＷＰの数であるＮｄに関連してよい。ＰＳｃｅｌｌのＵＬ  ＢＷＰに対して、ＵＬ  ＢＷＰと１つのセルのＤＬ  ＢＷＰの間のマッピング関係が決定される。セカンダリセルのＵＬ  ＢＷＰに対して、同じセルのＤＬ  ＢＷＰへのマッピング関係およびＰＳｃｅｌｌのＤＬ  ＢＷＰへのマッピング関係は、両方ともＰＵＳＣＨ電力制御のために決定されるものとする。ＵＥは、ＰＵＳＣＨ伝送を含むＵＬ  ＢＷＰとマッピング関係を有する参照サービングセルのＤＬ  ＢＷＰでのＲＳを使用して、パスロス推定を計算する。代替的には、１つのセルにおける複数のＵＬ  ＢＷＰをあるセルの１つのＤＬ  ＢＷＰにマッピングしてよい。代替的には、マッピング関係が提供されない場合、ＵＬ  ＢＷＰは、ＰＵＳＣＨ電力制御のために、セルにおいて最も近いbwp-idを有するＤＬ  ＢＷＰを使用してよい。代替的には、マッピング関係が提供されない場合、ＵＬ  ＢＷＰは、ＰＵＳＣＨ電力制御のために参照サービングセルにおいてアクティブＤＬ  ＢＷＰを使用してよい。代替的には、マッピング関係が提供されない場合、ＵＬ  ＢＷＰは、ＰＵＳＣＨ電力制御のために参照サービングセルにおいてbwp-idゼロのＤＬ  ＢＷＰを使用してよい。一実施形態では、セルのＵＬ  ＢＷＰの数は、その参照サービングセルのＤＬ  ＢＷＰの数よりも大きくないものとする。一実施形態では、アクティブＵＬ  ＢＷＰが１つのセルにおいて切り替わる場合、対応する参照サービングセルは、そのアクティブＤＬ  ＢＷＰを、新しいアクティブＵＬ  ＢＷＰとリンクするＢＷＰに切り替えるものとする。代替的には、セルのＵＬ  ＢＷＰは、可能な各参照サービングセルの１つだけのＤＬ  ＢＷＰにリンクするものとする。別の代替として、セルのＵＬ  ＢＷＰは、可能な各参照サービングセルの１つ以上のＤＬ  ＢＷＰにリンクするものとする。
【００３６】
マッピング関係を決定するための上記に開示した方法のいずれかを組み合わせて、ＰＵＳＣＨ電力制御のためのＤＬ  ＢＷＰを決定することができる。一実施態様では、セカンダリセルに対して、セカンダリセルのＵＬ  ＢＷＰのマッピング関係は、このセカンダリセルのＤＬ  ＢＷＰとプライマリセルまたはＰＳｃｅｌｌのＤＬ  ＢＷＰに対して決定されるものとする。セカンダリセルのＤＬとＵＬ  ＢＷＰの間のマッピングは、ＵＬ  ＢＷＰを最も近いbwp-idを有するＤＬ  ＢＷＰにマッピングすることに従う。このセカンダリセルが４つのＵＬ  ＢＷＰと３つのＤＬ  ＢＷＰで設定されると仮定すると、マッピング関係は、ＵＬ  ＢＷＰ  ０をＤＬ  ＢＷＰ  ０にマッピング、ＵＬ  ＢＷＰ  １をＤＬ  ＢＷＰ  １にマッピング、ＵＬ  ＢＷＰ  ２をＤＬ  ＢＷＰ  ２にマッピング、ＵＬ  ＢＷＰ  ３をＤＬ  ＢＷＰ  ２にマッピングすることとなる。セカンダリセルのＵＬ  ＢＷＰとプライマリセルまたはＰＳｃｅｌｌのＤＬ  ＢＷＰのリンク関係について、マッピング関係は各ＵＬ  ＢＷＰに設定されるＲＲＣパラメータを通して示される。対応するプライマリセルまたはＰＳｃｅｌｌが３つのＤＬ  ＢＷＰで設定されると仮定すると、リンク関係は、各ＵＬ  ＢＷＰに対するＲＲＣパラメータによって設定され、ＵＬ  ＢＷＰ  ０をＤＬ  ＢＷＰ  １にマッピング、ＵＬ  ＢＷＰ  １をＤＬ  ＢＷＰ  １にマッピング、ＵＬ  ＢＷＰ  ２をＤＬ  ＢＷＰ  ０にマッピング、ＵＬ  ＢＷＰ  ３をＤＬ  ＢＷＰ  ０にマッピングすることとすることができる。
【００３７】
ＵＥおよびｇＮＢの一実施形態では、セルのＵＬ  ＢＷＰと可能な参照サービングセルのＤＬ  ＢＷＰとのマッピング関係を決定するために所定の規則を使用することを以下のように開示する。規則は、bwp-id  Ｕｉｄを有するＵＬ  ＢＷＰが、
【数１】
2020028126.tif 000031
を有する参照サービングセルにおけるＤＬ  ＢＷＰにマッピングされ、Ｎｄは参照提供セルにおいて設定されたＤＬ  ＢＷＰの数であるというものである。ＰＵＳＣＨがセカンダリセルで送信される場合、参照サービングセルは、ＰＵＳＣＨ伝送の同じセルに設定される。このセルが４つのＵＬ  ＢＷＰと２つのＤＬ  ＢＷＰで設定されると仮定すると、所定の規則に基づいて、マッピング関係は、ＵＬ  ＢＷＰ  ０をＤＬ  ＢＷＰ  ０にマッピング、ＵＬ  ＢＷＰ  １をＤＬ  ＢＷＰ  １にマッピング、ＵＬ  ＢＷＰ  ２をＤＬ  ＢＷＰ  ０にマッピング、ＵＬ  ＢＷＰ  ３をＤＬ  ＢＷＰ  １にマッピングすることである。参照サービングセルがプライマリセルまたはＰＳｃｅｌｌに設定される場合、参照セルにおいて３つのＤＬ  ＢＷＰがあると仮定すると、マッピング関係は、ＵＬ  ＢＷＰ  ０をＤＬ  ＢＷＰ  ０にマッピング、ＵＬ  ＢＷＰ  １をＤＬ  ＢＷＰ  １にマッピング、ＵＬ  ＢＷＰ  ２をＤＬ  ＢＷＰ  ２にマッピング、ＵＬ  ＢＷＰ  ３をＤＬ  ＢＷＰ  ０にマッピングすることである。
【００３８】
ＵＥおよびｇＮＢの別の実施形態では、セルのＵＬ  ＢＷＰと可能な参照サービングセルのＤＬ  ＢＷＰとのマッピング関係を決定するために所定の規則を使用することを以下のように開示する。規則は、bwp-id  Ｕｉｄを有するＵＬ  ＢＷＰを、
【数２】
2020028126.tif 000032
を有する参照サービングセルにおけるＤＬ  ＢＷＰにマッピングし、
【数３】
2020028126.tif 000033
はｘの床関数を表し、Ｎｄは参照サービングセルにおいて設定されたＤＬ  ＢＷＰの数を表し、Ｎｕはこのセルの設定されたＵＬ  ＢＷＰの数を表すというものである。ＰＵＳＣＨがセカンダリセルで送信される場合、参照サービングセルは、ＰＵＳＣＨ伝送の同一セルに設定される。このセルが４つのＵＬ  ＢＷＰと２つのＤＬ  ＢＷＰで設定されていると仮定すると、所定の規則に基づいて、マッピングの関係は、ＵＬ  ＢＷＰ  ０をＤＬ  ＢＷＰ  ０にマッピング、ＵＬ  ＢＷＰ  １をＤＬ  ＢＷＰ  １にマッピング、ＵＬ  ＢＷＰ  ２をＤＬ  ＢＷＰ  ０にマッピング、ＵＬ  ＢＷＰ  ３をＤＬ  ＢＷＰ  １にマッピングすることである。参照サービングセルがプライマリセルまたはＰＳｃｅｌｌに設定される場合、参照セルにおいて３つのＤＬ  ＢＷＰがあると仮定すると、マッピング関係は、ＵＬ  ＢＷＰ  ０をＤＬ  ＢＷＰ  ０にマッピング、ＵＬ  ＢＷＰ  １をＤＬ  ＢＷＰ  １にマッピング、ＵＬ  ＢＷＰ  ２をＤＬ  ＢＷＰ  ２にマッピング、ＵＬ  ＢＷＰ  ３をＤＬ  ＢＷＰ  ０にマッピングすることである。
【００３９】
別の問題は、パスロスを推定するために使用される参照信号が、ＰＵＳＣＨ電力制御のための参照サービングセルにおけるアクティブＤＬ  ＢＷＰにないことがあることである。一実施形態では、ＵＥにＤＣＩフォーマット０＿０を介してＰＵＳＣＨが設定され、ＵＥにＰＵＣＣＨ伝送の空間的設定が設定されていない場合、ＵＥは、PUSCH-pathlossreferenceRSのセットにおいてゼロにインデックス付けされたＲＳを使用して、パスロスを推定する。ゼロにインデックス付けされた参照信号は、アクティブＤＬ  ＢＷＰにないことがある。これは、ＰＵＳＣＨ伝送のためにパスロスを推定するＵＥを混乱させる可能性がある。この問題は、ＰＵＳＣＨがセカンダリセルで送信され、ＰＵＳＣＨ電力制御のための参照サービングセルがプライマリセルまたはＰＳｃｅｌｌである場合にも発生することがある。
【００４０】
一実施形態では、PUSCH-pathlossreferenceRSのセット内の少なくとも１つのＲＳが、参照サービングセルのアクティブＤＬ  ＢＷＰ内にあることが保証される。ｇＮＢがPUSCH-pathlossreferenceRSのセット内のインデックスを設定する場合、ＰＵＳＣＨ電力制御のための参照サービングセルの設定された各ＤＬ  ＢＷＰは、このセット内の少なくとも１つのＲＳを含むものとする。別の実施形態では、ＰＵＳＣＨパスロス推定のためのＲＳがＤＣＩフォーマット０＿１におけるＳＲＩフィールドを通して決定される場合、ｇＮＢは、参照サービングセルにおけるアクティブＤＬ  ＢＷＰ内のＲＳを設定するものとする。代替的には、ＰＵＳＣＨ送信がＤＣＩフォーマット０＿０によってスケジュールされ場合に、ＵＥにＰＵＣＣＨ伝送のための空間的設定が提供されていないとき、もしくはＳＲＩフィールドを含まないＤＣＩフォーマット０＿１によってスケジューリングされる場合、またはＵＥに上位レイヤパラメータSRI-PathlossReferenceIndex-Mappingが提供されていないとき、ＵＥは、最も低いpusch-pathslossreference-index値を有する参照サービングセルのアクティブＤＬ  ＢＷＰ内のＲＳリソースを決定する。代替的には、ＰＵＳＣＨ伝送が、パラメータpathlossReferenceIndexを含まない上位レイヤパラメータConfiguredGrantConfigで設定され、ＰＵＳＣＨ伝送をアクティブにするＤＣＩフォーマットがＳＲＩフィールドを含まない場合、ＵＥは、最も低いPUSCH-PathlossReferenceRS-Id値を有する参照サービングセルのアクティブＤＬ  ＢＷＰ内のＲＳリソースを決定する。
【００４１】
別の実施形態では、ｇＮＢは、PUSCH-pathlossreferenceRSのセットにおいてセルの設定された各ＤＬ  ＢＷＰに対応する少なくとも１つのＲＳを設定しなければならない。例えば、セルがＤＬ  ＢＷＰ  ０、ＤＬ  ＢＷＰ  １およびＤＬ  ＢＷＰ  ２でインデックス付けされた、初期アクティブＤＬ  ＢＷＰを含む３つの下りリンクＢＷＰで設定されると仮定すると、PUSCH-pathlossreferenceRSのセットは、このセルにおいて各ＵＬ  ＢＷＰに設定され、セルは、ＤＬ  ＢＷＰ  ０において少なくとも１つのＲＳ、ＤＬ  ＢＷＰ  １において１つのＲＳ、およびＤＬ  ＢＷＰ  ２において１つのＲＳを含むものとする。
【００４２】
セルがセカンダリセルである場合、セカンダリセルにおけるＲＳを含むＳ０とプライマリセルまたはＰＳｃｅｌｌにおけるＲＳを含むＳ１の２つのセットが両方とも設定されてよい。一実施形態では、これらの２つのセットにおけるＲＳは、ＣＳＩ−ＲＳまたはＳＳ／ＰＢＣＨブロックとすることができる。セカンダリセルに設定された各ＤＬ  ＢＷＰに対して、このＤＬ  ＢＷＰでの少なくとも１つのＲＳがセットＳ０においてインデックス付けされる。そして、プライマリセルまたはＰＳｃｅｌｌに設定された各ＤＬ  ＢＷＰに対して、このＤＬ  ＢＷＰでの少なくとも１つのＲＳがセットＳ１においてインデックス付けされる。
【００４３】
上記に開示した実施形態を組み合わせて、ＰＵＳＣＨ電力制御におけるパスロス推定のためのＲＳを決定することができる。
【００４４】
ＵＥおよびｇＮＢの１つの方法によれば、本方法は、参照サービングセルのアクティブＤＬ  ＢＷＰのための参照信号（ＲＳ）インデックスを用いたＰＵＳＣＨ電力制御のための下りリンクパスロス推定を含む。
【００４５】
別の方法では、各セカンダリセルの設定された各ＵＬ  ＢＷＰに対して、２つのセット、Ｓ０およびＳ１が設定される。
【００４６】
別の方法では、セットＳ０は、ＳＳ／ＰＢＣＨブロックのＲＳリソースインデックス、またはセカンダリセルのＣＳＩ−ＲＳインデックスを含む。
【００４７】
別の方法では、セットＳ０に対して、セカンダリセルに設定された各ＤＬ  ＢＷＰの少なくとも１つのＲＳがセットに含まれる。
【００４８】
別の方法では、セットＳ１がＳＳ／ＰＢＣＨブロックのＲＳリソースインデックスを含むか、ＰＳｃｅｌｌのＣＳＩ−ＲＳインデックスが、セカンダリセルのＰＵＳＣＨ電力制御における参照サービングセルの設定に対応する。
【００４９】
別の方法では、セットＳ１に対して、ＰＳｃｅｌｌに設定された各ＤＬ  ＢＷＰの少なくとも１つのＲＳがセットに含まれる。
【００５０】
別の方法では、Ｓ０およびＳ１のサイズは、ｇＮＢが設定したパラメータによって制限される（bounded）。
【００５１】
別の方法では、Ｓ０およびＳ１のサイズは同じである。
【００５２】
別の方法では、Ｓ０およびＳ１のサイズは、対応するセルの設定されたＤＬ  ＢＷＰの数に基づいて決定される。
【００５３】
別の方法では、セットＳ０内の要素は、０からＮ０−１までインデックス付けされ、Ｎ０はセットＳ０の最大サイズである。
【００５４】
別の方法では、セットＳ１内の要素は、０からＮ１−１までインデックス付けされ、Ｎ１はセットＳ１の最大サイズである。
【００５５】
別の方法では、セカンダリセルに対するＰＵＳＣＨ電力制御のための参照サービングセルがセカンダリセルに設定されている場合、セットＳ０が、パスロス推定のためのｑｄを決定するためのセットとして使用される。
【００５６】
別の方法では、セカンダリセルに対するＰＵＳＣＨ電力制御のための参照サービングセルがＰＳｃｅｌｌに設定されている場合、セットＳ１がパスロス推定のためのｑｄを決定するためのセットとして使用される。
【００５７】
別の方法では、PUSCH-PathlossReferenceRS-Idとsri-PUSCHPowerControlIdの間のマッピング関係は、Ｓ０またはＳ１のどちらが使用されるかによって異なる。
【００５８】
別の方法では、Ｓ０のPUSCH-PathlossReferenceRS-Idとsri-PUSCHPowerControlIdの間のマッピング関係はｇＮＢによって設定される。
【００５９】
別の方法では、Ｓ１のPUSCH-PathlossReferenceRS-Idとsri-PUSCHPowerControlIdの間のマッピング関係はｇＮＢによって設定される。
【００６０】
ＵＥおよびｇＮＢの１つの方法によれば、本方法は、ＰＵＳＣＨ電力制御のためにセルのＵＬ  ＢＷＰと可能な各参照サービングセルのＤＬ  ＢＷＰの間のマッピング関係を定義することを含む。ＵＥがセルのＵＬ  ＢＷＰでＰＵＳＣＨを送信する場合、ＰＵＳＣＨ電力制御のパスロス推定は、このＵＬ  ＢＷＰとマッピング関係を有する参照サービングセルにおけるＤＬ  ＢＷＰでのＲＳを通して計算される。
【００６１】
別の方法では、マッピング関係は、ＲＲＣパラメータを介して示される。
【００６２】
別の方法では、マッピング関係は、ＵＥおよびｇＮＢの両方に既知の所定の規則によって決定される。
【００６３】
別の方法では、この所定の規則は、セルにおけるＵＬ  ＢＷＰのbwp-idであるＵｉｄ、セルにおけるＵＬ  ＢＷＰの数であるＮｕ、および参照サービングセルにおけるＤＬ  ＢＷＰの数であるＮｄに関連する。
【００６４】
別の方法では、所定の規則は、bwp-id  Ｕｉｄを有するＵＬ  ＢＷＰを最も近いbwp-idを有する対応する参照サービングセルのＤＬ  ＢＷＰにマッピングすることである。
【００６５】
別の方法では、所定の規則は、bwp-id  Ｕｉｄを有するＵＬ  ＢＷＰを
【数４】
2020028126.tif 000034
を有する対応する参照サービングセルのＤＬ  ＢＷＰにマッピングすることであり、Ｃは整数である。
【００６６】
別の方法では、所定の規則は、bwp-id  Ｕｉｄを有するＵＬ  ＢＷＰを
【数５】
2020028126.tif 000035
を有する対応する参照サービングセルのＤＬ  ＢＷＰにマッピングすることであり、
【数６】
2020028126.tif 000036
はｘの床関数を表す。
【００６７】
別の方法では、セルのＵＬ  ＢＷＰの数は、対応する参照サービングセルのＤＬ  ＢＷＰの数より大きくない。
【００６８】
別の方法では、セルの複数のＵＬ  ＢＷＰをセルの同じＤＬ  ＢＷＰにマッピングすることができる。
【００６９】
別の方法では、ＵＬ  ＢＷＰを可能な各参照サービングセルのただ１つのＤＬ  ＢＷＰにマッピングする。
【００７０】
別の方法では、ＵＬ  ＢＷＰを可能な各参照サービングセルの１つ以上のＤＬ  ＢＷＰにマッピングする。
【００７１】
別の方法では、アクティブＵＬ  ＢＷＰがセル上で切り替わる場合、ＰＵＳＣＨ電力制御のための対応する参照サービングセルは、そのアクティブＤＬ  ＢＷＰを、新しいＵＬ  ＢＷＰとマッピング関係を有するＤＬ  ＢＷＰに切り替えるものとする。
【００７２】
別の方法では、アクティブＵＬ  ＢＷＰがセル上で切り替わる場合、ＰＵＳＣＨ電力制御のための対応する参照サービングセルは、そのアクティブＤＬ  ＢＷＰを、新しいＵＬ  ＢＷＰとマッピング関係を有するＤＬ  ＢＷＰに切り替えるものとする。
【００７３】
別の方法では、マッピング関係がＵＬ  ＢＷＰに提供されない場合、パスロスは、参照サービングセルの最も近いbwp-idを有するＤＬ  ＢＷＰにおけるＲＳを通して計算される。
【００７４】
別の方法では、マッピング関係がＵＬ  ＢＷＰに提供されない場合、パスロスは、参照サービングセルのアクティブＤＬ  ＢＷＰにおけるＲＳを通して計算される。
【００７５】
別の方法では、マッピング関係がＵＬ  ＢＷＰに提供されない場合、パスロスは、参照サービングセルのbwp-idゼロを有するＤＬ  ＢＷＰにおけるＲＳを通して計算される。
【００７６】
別の方法では、パスロス推定のためのＲＳリソースインデックスのセットは、可能な各参照サービングセルの少なくとも１つのＲＳを含む。
【００７７】
別の方法では、パスロス推定のためのＲＳリソースインデックスのセットは、可能な各参照サービングセルの設定された各ＤＬ  ＢＷＰの少なくとも１つのＲＳを含む。
【００７８】
別の方法では、パスロス推定に使用されるＲＳがＤＣＩフォーマット０＿１におけるＳＲＩフィールドを通して設定される場合、ｇＮＢは、参照サービングセルのアクティブ下りリンクＢＷＰにないＲＳを示さない。
【００７９】
別の方法では、ＤＣＩフォーマット０＿１におけるＳＲＩフィールドを通して設定されるＲＳが参照サービングセルにない場合、ＵＥはパスロスを推定するためにそのＲＳを使用しない。
【００８０】
別の方法では、ＰＵＳＣＨ伝送がＤＣＩフォーマット０＿０によってスケジューリングされる場合に、ＵＥにＰＵＣＣＨ伝送のための空間的設定が提供されないとき、もしくはＳＲＩフィールドを含まないＤＣＩフォーマット０＿１によってスケジューリングされる場合、またはＵＥに上位レイヤパラメータSRI-PathlossReferenceIndex-Mappingが提供されない場合、ＵＥは、最も低いpusch-pathsloss-reference-index値を有する参照サービングセルのアクティブＤＬ  ＢＷＰにおいてＲＳリソースを決定する。
【００８１】
別の方法では、上位レイヤパラメータConfiguredGrantConfigで設定されるＰＵＳＣＨ伝送がパラメータpathlossReferenceIndexを含まず、ＰＵＳＣＨ伝送をアクティブにするＤＣＩフォーマットがＳＲＩフィールドを含まない場合、ＵＥは、最も低いPUSCH-PathlossReferenceRS-Id値を有する参照サービングセルのアクティブＤＬ  ＢＷＰにおけるＲＳリソースを決定する。
【００８２】
別の方法では、ＵＥがパスロスを推定するためにＰＵＳＣＨ電力制御のための参照サービングセルのアクティブＤＬ  ＢＷＰにおけるＲＳを使用できない場合、ＵＥは、ＵＥが上位レイヤパラメータMasterInformationBlockを取得するＳＳ／ＰＢＣＨブロックインデックスからのＲＳリソースを使用してパスロスを推定（または導出）する。
【００８３】
図１１は、ＵＥの観点からの１つの例示的実施形態によるフローチャート１１００である。ステップ１１０５では、ＵＥは、第１のサービングセルと第２のサービングセルの第１の設定を受信し、第２のサービングセルは、第１のサービングセルのためのパスロスリファレンス（pathloss  reference）である。ステップ１１１０では、ＵＥは、第２のサービングセルの複数の下りリンク帯域幅部分の第２の設定を受信し、複数の下りリンク帯域幅部分のうちの１つの下りリンク帯域幅部分はアクティブ下りリンク帯域幅部分である。ステップ１１１５では、ＵＥは、下りリンク帯域幅部分における参照信号に基づいて、第１のサービングセルの上りリンク帯域幅部分における上りリンク伝送のためのパスロスを推定（または導出）する。
【００８４】
別の方法では、下りリンク帯域幅部分は、上りリンク帯域幅部分にリンクされない。
【００８５】
別の方法では、下りリンク帯域幅部分と上りリンク帯域幅部分とは異なる帯域幅部分インデックスを有する。
【００８６】
別の方法では、帯域幅部分インデックスは、bwp-Idの設定によって提供される帯域幅部分のための識別子である。
【００８７】
別の方法では、下りリンク帯域幅部分と上りリンク帯域幅部分とは異なる中心周波数を有する。
【００８８】
別の方法では、第１のサービングセルに設定される上りリンク帯域幅部分の数は、第２のサービングセルの複数の下りリンク帯域幅部分の数と異なる。
【００８９】
別の方法では、パスロスリファレンスはパラメータpathlossReferenceLinkingによって示される。
【００９０】
図１２は、ＵＥの観点からの１つの例示的実施形態によるフローチャート１２００である。ステップ１２０５では、ＵＥは、サービングセルにおいて対スペクトルで動作し、サービングセルの複数の下りリンク帯域幅部分が設定され、複数の下りリンク帯域幅部分のうちの１つの下りリンク帯域幅部分は、アクティブ下りリンク帯域幅部分である。ステップ１２１０では、ＵＥは、下りリンク帯域幅部分における参照信号に基づいて、サービングセルの上りリンク帯域幅部分における上りリンク伝送のためのパスロスを推定（または導出）する。
【００９１】
別の方法では、下りリンク帯域幅部分は、上りリンク帯域幅部分にリンクされない。
【００９２】
別の方法では、下りリンク帯域幅部分と上りリンク帯域幅部分とは異なる帯域幅部分インデックスを有する。
【００９３】
別の方法では、帯域幅部分インデックスは、bwp-Idの設定によって提供される帯域幅部分のための識別子である。
【００９４】
別の方法では、下りリンク帯域幅部分と上りリンク帯域幅部分とは異なる中心周波数を有する。
【００９５】
別の方法では、サービングセルに設定される上りリンク帯域幅部分の数は、サービングセルの複数の下りリンク帯域幅部分の数と異なる。
【００９６】
当業者には理解されるように、種々の開示した実施形態を組み合わせて、新しい実施形態および／または方法を形成することができる。
【００９７】
図３および図４に戻って参照すると、一実施形態では、デバイス３００は、メモリ３１０に記憶されたプログラムコード３１２を含む。ＣＰＵ３０８は、プログラムコード３１２を実行して、（ｉ）第１のサービングセルと第２のサービングセルの第１の設定を受信することであって、第２のサービングセルは、第１のサービングセルのためのパスロスリファレンスである、受信することと、（ｉｉ）第２のサービングセルの複数の下りリンク帯域幅部分の第２の設定を受信することであって、複数の下りリンク帯域幅部分のうちの１つの下りリンク帯域幅部分はアクティブ下りリンク帯域幅部分である、受信することと、（ｉｉｉ）下りリンク帯域幅部分における参照信号に基づいて、第１のサービングセルの上りリンク帯域幅部分における上りリンク伝送のためのパスロスを推定（または導出）することと、を行うことができる。
【００９８】
別の実施形態では、デバイス３００は、メモリ３１０に記憶されたプログラムコード３１２を含む。ＣＰＵ３０８は、プログラムコード３１２を実行して、（ｉ）サービングセルにおいて対スペクトルで動作することであって、サービングセルの複数の下りリンク帯域幅部分が設定され、複数の下りリンク帯域幅部分のうちの１つの下りリンク帯域幅部分は、アクティブ下りリンク帯域幅部分である、動作することと、（ｉｉ）下りリンク帯域幅部分における参照信号に基づいて、サービングセルの上りリンク帯域幅部分における上りリンク伝送のためのパスロスを推定（または導出）することと、を行うことができる。
【００９９】
さらに、ＣＰＵ３０８は、プログラムコード３１２を実行して、本明細書で説明した上述のアクションおよびステップまたはその他の方法のすべてを行うことができる。
【０１００】
上記に開示した方法は、ＰＵＳＣＨがセカンダリセルで送信されるが、ＰＵＳＣＨ電力制御のための参照サービングセルがプライマリセルまたはＰＳｃｅｌｌであるという問題に対処する。上記に開示した方法は、パスロス推定のために選択されるＲＳが参照サービングセルのアクティブＤＬ  ＢＷＰにないという問題に対処する。
【０１０１】
以上、本開示の種々の態様を説明した。当然のことながら、本明細書の教示内容を多種多様な形態で具現化してよく、本明細書に開示されている如何なる特定の構造、機能、または両者も代表的なものに過ぎない。本明細書の教示内容に基づいて、当業者には当然のことながら、本明細書に開示される態様は、他の如何なる態様からも独立に実装されてよく、これら態様のうちの２つ以上を種々組み合わせてよい。例えば、本明細書に記載された態様のうちの任意の数の態様を用いて、装置を実装してよく、方法を実現してよい。追加的に、本明細書に記載された態様のうちの１つ以上の追加または代替で、他の構造、機能、または構造と機能を用いて、このような装置を実装してよく、このような方法を実現してよい。上記概念の一部の一例として、いくつかの態様においては、パルス繰り返し周波数に基づいて、同時チャネルを確立してよい。いくつかの態様においては、パルス位置またはオフセットに基づいて、同時チャネルを確立してよい。いくつかの態様においては、時間ホッピングシーケンスに基づいて、同時チャネルを確立してよい。
【０１０２】
当業者であれば、多様な異なるテクノロジおよび技術のいずれかを使用して、情報および信号を表わしてよいを理解するであろう。例えば、上記説明全体で言及されることがあるデータ、命令、コマンド、情報、信号、ビット、シンボル、およびチップは、電圧、電流、電磁波、磁場若しくは粒子、光場若しくは粒子、またはこれらの任意の組み合わせによって表わしてよい。
【０１０３】
さらに、当業者には当然のことながら、本明細書に開示された態様に関連して説明した種々の例示的な論理ブロック、モジュール、プロセッサ、手段、回路、およびアルゴリズムステップは、電子的ハードウェア（例えば、ソースコーディングまたはその他何らかの技術を用いて設計することがあるディジタル実装、アナログ実装、またはこれら２つの組み合わせ）、命令を含む種々の形態のプログラム若しくは設計コード（本明細書においては便宜上、「ソフトウェア」または「ソフトウェアモジュール」と称されることがある）、または両者の組み合わせとして実装されてよい。このハードウェアおよびソフトウェアの互換性を明確に示すため、種々の例示的な構成要素、ブロック、モジュール、回路、およびステップを、概略的にそれぞれの機能の側面から上述した。そのような機能がハードウェアとして実装されるか、ソフトウェアとして実装されるかは、特定用途およびシステム全体に課される設計上の制約によって決まる。当業者であれば、特定各用途に対して、説明した機能を様々なやり方で実装してもよいが、そのような実装の決定は、本開示の範囲からの逸脱の原因として解釈されるべきではない。
【０１０４】
追加的に、本明細書に開示される態様に関連して説明した種々の例示的な論理ブロック、モジュール、および回路は、集積回路（「ＩＣ」）、アクセス端末、またはアクセスポイント内で実装される、あるいはこれらによって実行されてよい。ＩＣとしては、汎用プロセッサ、ディジタルシグナルプロセッサ（ＤＳＰ）、特定用途向け集積回路（ＡＳＩＣ）、フィールドプログラマブルゲートアレイ（ＦＰＧＡ）、その他プログラマブル論理デバイス、ディスクリートゲート若しくはトランジスタロジック、ディスクリートハードウェアコンポーネント、電気部品、光学部品、機械部品、または本明細書で説明した機能を実行するように設計されたこれらの任意の組み合わせを含み、ＩＣ内、ＩＣ外、またはその両方に存在するコードまたは命令を実行してよい。汎用プロセッサは、マイクロプロセッサとしてよいが、代替として、プロセッサは、従来の任意のプロセッサ、コントローラ、マイクロコントローラ、または状態機械としてよい。また、プロセッサは、ＤＳＰとマイクロプロセッサとの組み合わせ、複数のマイクロプロセッサ、ＤＳＰコアと協働する１つ以上のマイクロプロセッサ、またはその他任意のこのような構成である、コンピュータデバイスの組み合わせとして実装されてよい。
【０１０５】
任意の開示プロセスにおけるステップの如何なる特定の順序または階層は、実例的な手法の一例であることが了解される。設計の選好に基づいて、プロセスにおけるステップの特定の順序または階層を、本開示の範囲内に留まりつつ、再構成してよいことが了解される。添付の方法の請求項は、種々のステップの要素を実例的な順序で示しており、提示の特定順序または階層に限定されることを意図していない。
【０１０６】
本明細書に開示される態様に関連して記載された方法またはアルゴリズムのステップを、ハードウェアにおいて直接具現化してよく、プロセッサにより実行されるソフトウェアモジュールにおいて具現化してよく、これら２つの組み合わせにおいて具現化してよい。（例えば、実行可能な命令および関連するデータを含む）ソフトウェアモジュールおよび他のデータは、ＲＡＭメモリ、フラッシュメモリ、ＲＯＭメモリ、ＥＰＲＯＭメモリ、ＥＥＰＲＯＭメモリ、レジスタ、ハードディスク、リムバーブルディスク、ＣＤ−ＲＯＭ等のデータメモリ、または当技術分野において知られているその他任意の形態のコンピュータ可読記憶媒体に存在してよい。実例的な記憶媒体がコンピュータ／プロセッサ（本明細書においては便宜上、「プロセッサ」と称されることがある）等の機械に結合されてよい、このようなプロセッサは、記憶媒体からの情報（例えば、コード）の読み出しおよび記憶媒体への情報の書き込みが可能である。実例的な記憶媒体は、プロセッサと一体化されてよい。プロセッサおよび記憶媒体は、ＡＳＩＣに存在してよい。ＡＳＩＣは、ユーザ機器に存在していてもよい。代替として、プロセッサおよび記憶媒体は、ディスクリートコンポーネントとしてユーザ機器に存在してよい。さらに、いくつかの態様においては、任意の適当なコンピュータプログラム製品が、本開示の態様のうちの１つ以上に関連するコードを含むコンピュータ可読媒体を含んでもよい。いくつかの態様において、コンピュータプログラム製品は、パッケージング材料を含んでよい。
【０１０７】
以上、種々の態様に関連して本発明を説明したが、本発明は、さらに改良可能であることが了解される。本願は、概して本発明の原理に従うと共に、本発明が関係する技術分野における既知で慣習的な実施となるような本開示からの逸脱を含む本発明の任意の変形、使用、または適応を網羅することを意図している。
【図１】
2020028126.tif 000037
【図２】
2020028126.tif 000038
【図３】
2020028126.tif 000039
【図４】
2020028126.tif 000040
【図５】
2020028126.tif 000041
【図６】
2020028126.tif 000042
【図７】
2020028126.tif 000043
【図８】
2020028126.tif 000044
【図９】
2020028126.tif 000045
【図１０】
2020028126.tif 000046
【図１１】
2020028126.tif 000047
【図１２】
2020028126.tif 000048
【外国語明細書】
2020028126000001.pdf